(57)【特許請求の範囲】
【請求項１】
スラブ下面にケーブルダクトを布設する施工方法において、スラブ下面に固定した一対の吊りボルトに吊杆部材を装着し、該吊杆部材にケーブルを固定するケーブル先行配線工程と、配線されたケーブルをケーブルダクトで下方から囲み、該ケーブルダクトを吊り金具にて前記吊りボルトに固定するダクト装着工程と、固定されたケーブルダクトに隣接する他のケーブルダクトを接続するダクト布設工程とからなることを特徴とするケーブルダクトの施工方法。
【請求項２】
前記ケーブル先行配線工程において、下側面が開口した吊杆部材の開口部にケーブル結束具を装着し、該ケーブル結束具にケーブルを結束して吊杆部材に固定する請求項１記載のケーブルダクトの施工方法。
【請求項３】
スラブ下面に布設するケーブルダクト装置において、スラブ下面に固定された一対の吊りボルトに装着する吊杆部材と、該吊杆部材に固定されたケーブルを下方から囲むケーブルダクトと、該ケーブルダクトを下方から保持して吊りボルトに固定する吊り金具と、固定されたケーブルダクトの端部外側面と隣接する他のケーブルダクトの端部外側面とに重合して接続する継ぎ金具とからなることを特徴とするケーブルダクト装置。
【請求項４】
前記ケーブルラック相互に接続した継ぎ金具を下方から保持して前記吊りボルトに固定する継目用吊り金具を設けた請求項３記載のケーブルダクト装置。
【発明の詳細な説明】
【０００１】
【発明の属する技術分野】
本発明は、例えば集合住宅の開放通路天井など、スラブ下面にケーブルダクトを布設する際に好適なケーブルダクトの施工方法及びケーブルダクト装置に関する。
【０００２】
【従来の技術】
集合住宅の開放通路天井などにケーブルダクトを布設する条件として、通行人の歩行の妨げにならない高さに設置することや、鳩などが入り込まないように天井面との隙間を小さくするといった鳥害防止の目的などがある。
【０００３】
そこで、これまでのケーブルダクト布設工事では、スラブ下面にアンカー止めされた吊りボルトにケーブルダクトを仮止めし、このケーブルダクト内にケーブルを配線した後に、ケーブルダクトの位置を吊りボルトの上方に移動させるといった工事が行われている。
【０００４】
【発明が解決しようとする課題】
従来の配線工事では、ケーブルダクトの内部に配線する工事であったので、ケーブルダクトの仮止め工事の後でなければケーブルを布設することができないといった不都合が生じていた。
【０００５】
また、仮止めされたケーブルダクトにケーブルを配線する作業は、ケーブルダクトの開口上部とスラブ下面との隙間を通して配線するので、作業空間が窮屈になり、しかも、ケーブルダクトを仮止めした多数の吊りボルトが配線工事を妨げるので、ケーブル配線工事に多くの時間と労力を要していた。
【０００６】
さらに、ケーブルを配線した後に、仮り止め位置からケーブルダクトを吊り上げて正規のレベル位置に調整する作業が必要であり、２度手間となっていた。また、仮り止め位置から正規の位置にケーブルダクトを吊り上げた後は、吊りボルトがケーブルダクトの固定位置から下方に長く突出することになる。従来の工事では、この余分な吊りボルトを切断除去する作業も要し、このような作業も工期を遅延化する原因になっていた。
【０００７】
そこで本発明は上述の課題を解消すべく創出されたもので、ケーブルダクトの仮止め工事を待たずに、ケーブルを先行配線することが可能になり、短時間で合理的な布設工事ができるケーブルダクトの施工方法及びケーブルダクト装置の提供を目的とするものである。
【０００８】
【課題を解決するための手段】
上述の目的を達成すべく本発明の第１の手段は、スラブＰ下面にケーブルダクトを布設する施工方法において、スラブＰ下面に固定した一対の吊りボルト１に吊杆部材２を装着し、該吊杆部材２にケーブルＱを固定するケーブル先行配線工程と、配線されたケーブルＱをケーブルダクト３で下方から囲み、該ケーブルダクト３を吊り金具４にて前記吊りボルト１に固定するダクト装着工程と、固定されたケーブルダクト３に隣接する他のケーブルダクト３を接続するダクト布設工程とからなるものである。
【０００９】
第２の手段は、ケーブル先行配線工程において、下側面が開口した吊杆部材２の開口部２Ａにケーブル結束具５を装着し、該ケーブル結束具５にケーブルＱを結束して吊杆部材２に固定する。
【００１０】
第３の手段は、スラブＰ下面に布設するケーブルダクト装置において、スラブＰ下面に固定された一対の吊りボルト１に装着する吊杆部材２と、該吊杆部材２に固定されたケーブルＱを下方から囲むケーブルダクト３と、該ケーブルダクト３を下方から保持して吊りボルト１に固定する吊り金具４と、固定されたケーブルダクト３の端部外側面と隣接する他のケーブルダクト３の端部外側面とに重合して接続する継ぎ金具６とからなる。
【００１１】
第４の手段は、前記ケーブルダクト３相互に接続した継ぎ金具６を下方から持して前記吊りボルト１に固定する継目用吊り金具７を設けたものである。
【００１２】
【発明の実施の形態】
以下、図面を参照して、本発明の実施の形態を詳細に説明する。
【００１３】
本発明ケーブルダクトの施工方法は、ケーブル先行配線工程と、ダクト装着工程と、ダクト布設工程とからなる。
【００１４】
ケーブル先行配線工程は、スラブＰ下面に固定した一対の吊りボルト１に吊杆部材２を装着し、この吊杆部材２にケーブルＱを連結する工程である（図１参照）。この工程では、まず、スラブＰ下面に埋設された固定アンカー１Ａに吊りボルト１を連結し、この吊りボルト１に、座金１Ｂ、ナット１Ｃを使用して吊杆部材２を固定する（同図イ参照）。この吊杆部材２の厚みは、最終的にケーブルダクト３を布設した後のケーブルダクト３とスラブＰとの隙間となる。そこで、従来工法では、この隙間を約50mmとしているが、本発明施工方法では、45mm厚の吊杆部材２を使用する。この寸法は、鳩の侵入を防止するのに効果的であり、しかも、この隙間から各戸へケーブルＱを取り出すことも可能になっている。次に、下側面が開口した吊杆部材２の開口部２Ａにケーブル結束具５を装着する（同図ロ参照）。図示の吊杆部材２はリップ溝形鋼を使用している（図５参照）。そして、リップ部に挿入係止する係止具５Ａと、ケーブルＱを結束するナイロンバンド５Ｂとからなるケーブル結束具５を装着し、このケーブル結束具５にケーブルＱを結束して吊杆部材２に固定する（同図ハ参照）。このように、リップ溝形鋼のリップ部を使用することで、ケーブルＱの先行配線作業を簡単にすることができる。また、吊杆部材２の上面に僅かな隙間を設け、この隙間から吊杆部材２に巻きつけたナイロンバンド５ＢでケーブルＱを結束することも可能であり（図示せず）、他の各種ケーブル結束具を任意に選択することが可能である。
【００１５】
図２は、ダクト装着工程を示す。この工程は、先行配線されたケーブルＱをケーブルダクト３で下方から囲むように配置し、このケーブルダクト３を、吊り金具４で吊りボルト１に固定する。吊り金具４は、座金４Ａ、ナット４Ｂを介して吊りボルト１にネジ止めされる（図６参照）。また、従来のようにケーブルダクト３を仮止めする必要がないので、吊り金具４を固定する吊りボルト１と、前記吊杆部材２を固定した吊りボルト１とを兼用することが可能になった。この結果吊りボルト１が短くなり、施工後に切断する必要がなくなると共に、固定アンカー１Ａの打設工程が１回で済むため、工期の短縮を可能とし工事全体の騒音を少なくする効果もある。
【００１６】
図３は、ダクト布設工程を示す。この工程では、固定されたケーブルダクト３に隣接する他のケーブルダクト３を接続する作業になる。図示例では、固定されたケーブルダクト３の端部外側面と隣接する他のケーブルダクト３の端部外側面とに重合して接続する継ぎ金具６を使用している（図７参照）。すなわち、継ぎ金具６をケーブルダクト３の端部外側面に当て、ケーブルダクト３内部から継ぎ金具６にボルト６Ａを挿通しナット６Ｄを配して固定する。このとき、ケーブルダクト３と継ぎ金具６とを接続するボルトに角根ボルト６Ａを使用し、継ぎ金具６側に歯付座金６Ｂと平座金６Ｃ、ナット６Ｄを配して接続している。このように接続することで、接続する相互のケーブルダクト３に十分な導通効果が得られる。
【００１７】
図４は、ケーブルラック３相互に接続した継ぎ金具６を下方から持して前記吊りボルト１に固定する継目用吊り金具７を示している。この継目用吊り金具７は、ケーブルダクト３の継ぎ金具６で接続した部分が吊りボルト１の位置に重なる場合に使用するもので、この継目用吊り金具７を用いることにより、継ぎ金具６のボルトやナットを避けて取り付けることができる。また、ケーブルダクト３の継ぎ目の強度を高める効果もある。この継目用吊り金具７は、継ぎ金具６を覆い、吊りボルト１を貫通させて座金７Ａ、ナット７Ｂをネジ止めし、スパナ等で締め付ける。
【００１８】
【発明の効果】
本発明は、上述の如く構成したことにより、当初の目的を達成する。
【００１９】
すなわち、本発明施工方法において、ケーブル先行配線工程と、ダクト装着工程と、ダクト布設工程とによってスラブＰ下面にケーブルダクト３を布設することにより、ケーブルダクトの仮止め工事を待たずに、ケーブルを先行配線することを可能にしたものである。
【００２０】
また、ケーブル先行配線工程において、下側面が開口した吊杆部材２の開口部２Ａにケーブル結束具５を装着し、該ケーブル結束具５にケーブルＱを結束して吊杆部材２に固定することで、ケーブルＱの先行配線工事を短時間で合理的に行うことができる。
【００２１】
一方、本発明装置によると、スラブＰ下面に固定された一対の吊りボルト１に装着する吊杆部材２と、該吊杆部材２に連結されたケーブルＱを下方から囲むケーブルダクト３と、該ケーブルダクト３を下方から保持して吊りボルト１に固定する吊り金具４と、固定されたケーブルダクト３の端部外側面と隣接する他のケーブルダクト３の端部外側面とに重合して接続する継ぎ金具６とで構成されているので、ケーブルＱを先行配線した後で、ケーブルダクト３を装着することができる。この結果、従来のように、作業空間が窮屈で、しかも、ケーブルダクトを仮止めした多数の吊りボルトが配線の妨げになるなどといった不都合は解消され、極めて合理的な装着が可能になった。
【００２２】
また、ケーブルダクト３相互に接続した継ぎ金具６を下方から持して前記吊りボルト１に固定する継目用吊り金具７を設けることにより、ケーブルダクト３相互を接続した継ぎ金具６が、吊り金具４取り付け部分に配置された場合には、この継目用吊り金具７を用いることにより、継ぎ金具６のボルトやナットを避けて取り付けることができる。
【００２３】
このように本発明によると、ケーブルダクトの仮止め工事を待たずに、ケーブルを先行配線することが可能になり、短時間で合理的な布設工事ができ、梁の高さに合わせて梁巻きダクトの長さを自由に調整することができるなどといった有益な種々の効果を奏するものである。
【図面の簡単な説明】
【図１】（イ）乃至（ハ）は、ケーブル先行配線工程を示す工程図。
【図２】本発明のダクト装着工程を示す正面図。
【図３】本発明のダクト布設工程を示す正面図。
【図４】本発明の継目用吊り金具を示す正面図。
【図５】本発明のケーブル先行配線工程で配線した一実施例を示す要部斜視図。
【図６】本発明のダクト装着工程で装着したケーブルダクトを示す要部斜視図。
【図７】本発明のダクト布設工程で接続されたケーブルダクトを示す要部斜視図。
【符号の説明】
Ｐ  スラブ
Ｑ  ケーブル
Ｒ  梁
Ｓ  ボルト端子      Ｓ１ボルト
Ｓ２  歯付座金
Ｓ３  ナット
Ｓ４  平座金
Ｓ５  袋ナット
１  吊りボルト      １Ａ固定アンカー
１Ｂ  座金
１Ｃ  ナット
２  吊杆部材        ２Ａ  開口部
３  ケーブルダクト
４  吊り金具        ４Ａ  座金
４Ｂ  ナット
５  ケーブル結束具  ５Ａ  係止具
５Ｂ  ナイロンバンド
６  継ぎ金具        ６Ａ  角根ボルト
６Ｂ  歯付座金
６Ｃ  平座金
６Ｄ  ナット
７  継目用吊り金具
【図１】
0003595987.tif 000002
【図２】
0003595987.tif 000003
【図３】
0003595987.tif 000004
【図４】
0003595987.tif 000005
【図５】
0003595987.tif 000006
【図６】
0003595987.tif 000007
【図７】
0003595987.tif 000008